(57)【特許請求の範囲】
【請求項１】
フリーホイールであって、該フリーホイールが、インナレース（１）と、該インナレース（１）を半径方向で取り囲んで配置された、該インナレース（１）に対して相対的に少なくとも一方の回動方向に回動可能なアウタレース（２）と、インナレース（１）とアウタレース（２）との間に配置された、ヘッド範囲およびベース範囲を備えた複数の締付け体（３）とを備えており、該締付け体（３）が、互いに接触していて、押付け溝（Ｎ）内に係合する全周にわたって延びるばね（４）の半径方向内向きに作用するばね力によってインナレース（１）に向かって押圧可能であるフリーホイールにおいて、互いに隣り合った締付け体（３）の旋回運動時に接触する当付け面（３ｃ，３ｄ）が、前記ヘッド範囲にも前記ベース範囲にも同時に形成されており、締付け体（３）が、前記ヘッド範囲および前記ベース範囲においてサイクロイドの形で形成されており、これにより、互いに隣り合った締付け体（３）の当付け面（３ｃ，３ｄ）間において、旋回運動時の常時の当付けが保証されることを特徴とする、フリーホイール。
【請求項２】
あらゆる運転点において、互いに隣り合った締付け体（３）の前記ヘッド範囲と前記ベース範囲との間に、潤滑膜（油膜）の維持のために、規定されたコンスタントな間隔が存在している、請求項１記載のフリーホイール。
【請求項３】
前記ヘッド範囲における締付け体（３）の幅が、前記ベース範囲における締付け体（３）の幅よりも大きく設定されている、請求項１または２記載のフリーホイール。
【請求項４】
前記押付け溝（Ｎ）が、ばね（４）に対する圧着面（３ｆ）を有しており、該圧着面（３ｆ）が、空転方向でインナレース（１）に向かって（半径方向内向きに）傾斜している、請求項１から３までのいずれか１項記載のフリーホイール。
【請求項５】
前記フリーホイールが、クランクＣＶＴ伝動装置に用いられるフリーホイールである、請求項１から４までのいずれか１項記載のフリーホイール。
【発明の詳細な説明】
【技術分野】
【０００１】
本発明は、特にクランクＣＶＴ伝動装置に用いられるフリーホイールであって、該フリーホイールが、インナレースと、該インナレースを半径方向で取り囲んで配置された、該インナレースに対して相対的に少なくとも一方の回動方向に回動可能なアウタレースと、インナレースとアウタレースとの間に配置された、ヘッド範囲およびベース範囲を備えた複数の締付け体とを備えており、該締付け体が、互いに接触していて、押付け溝内に係合する全周にわたって延びるばねの半径方向内向きに作用するばね力によってインナレースに向かって押圧可能であるフリーホイールに関する。
【０００２】
ＣＶＴは、斑なく変速する伝動装置である。この伝動装置では、入力する軸の回転数と出力する軸の回転数との比、つまり、変速比が、規定された範囲内で無限に多くの値（段）をとることができる。これには、軸の停止または回転方向逆転が含まれていてもよい。運動の伝達は、てこの原理に従って伝動作用を規定するジオメトリを有する構成部材の変更可能なカップリングを介して行われる。構成部材ジオメトリの変更によって、変速比変化が達成される。しかし、この変速比変化は、同時に構成部材カップリングの箇所におけるジオメトリの変更なしに行うことはできない。
【０００３】
このために、クランクＣＶＴ伝動装置に用いられる多くのフリーホイール装置は締付け体を有している。この締付け体は、被駆動軸の範囲によって形成されたインナレースと、アウタレースとの間に配置されている。このアウタレースの面とインナレースの面とは、締付け体がインナレースとアウタレースとの間の一方の相対回動方向で回動をロックすることができ、これによって、アウタレースとインナレースとが一緒に回動させられるように互いに調整されている。アウタレースとインナレースとの間の他方の相対回動方向では、締付け体によるロック作用は生じない。個々の締付け体はロック方向に押圧される。このことは、少なくとも１つのばねエレメントによって行うことができる。
【０００４】
たとえば、ドイツ連邦共和国特許出願公開第１８１４９６８号明細書、ドイツ連邦共和国特許出願公告第６８１１６５０号明細書およびドイツ連邦共和国特許第３２３３０７３号明細書に基づき、フリーホイールクラッチが公知である。この公知のフリーホイールクラッチは、アウタレース１とインナレースとの間に挿入された、互いに間隔を置いて配置された傾動可能な多数の締付け体を備えている。これらの締付け体は１つのケージ内にガイドされていて、係合方向もしくは機能係合方向で内向きに緊締する全周にわたって延びるばねによって保持されているかもしくは締付け体には、このばねによってプリロードがかけられている。締付け体の中間を貫いて、ばねを収容するための直線的に延びる溝が形成されている。
【０００５】
ばねは、環状帯材ばね、環状の溝ばねもしくはコイルばね（ガータスプリング）の形で形成されていてよい。一番最後の例では、ガータスプリングが締付け体のガータスプリング溝内に係合している。
【０００６】
また、ケージなしの締付け体型フリーホイールも公知である。この公知の締付け体型フリーホイールでは、傾動可能な締付け体のガイドが、ケージなしの針状ころ軸受けと同様に締付け体の中央において、たとえばメアンダスプリングによって行われる。締付け体は互いに接触している。
【０００７】
締付け体が、特にケージなしのフリーホイールにおいて、固有の回動軸線を中心として高い動特性のもと望ましくない形で回動させられて、これによって、締付け機能が損なわれることは不利である。
【０００８】
本発明の課題は、ケージなしの、特にクランクＣＶＴ伝動装置に用いられるフリーホイールを改良して、締付け体の望ましくない回動が阻止されるようにすることである。
【０００９】
この課題を解決するために本発明に係るフリーホイールによれば、締付け体のガイド部が、前記ヘッド範囲にも前記ベース範囲にも同時に形成されており、締付け体が、前記ヘッド範囲および前記ベース範囲においてサイクロイドの形で形成されている。
【００１０】
本発明に係るフリーホイールの有利な態様によれば、あらゆる運転点において、互いに隣り合った締付け体の前記ヘッド範囲と前記ベース範囲との間に、潤滑膜（油膜）の維持のために、規定されたコンスタントな間隔が存在している。
【００１１】
本発明に係るフリーホイールの有利な態様によれば、前記ヘッド範囲における締付け体の幅が、前記ベース範囲における締付け体の幅よりも大きく設定されている。
【００１２】
本発明に係るフリーホイールの有利な態様によれば、互いに隣り合った締付け体の間に、一方のフリーホイール回動方向では２つのガイド点が形成されていて、前記フリーホイール回動方向と逆の回動方向では１つの衝突点が形成されている。
【００１３】
本発明に係るフリーホイールの有利な態様によれば、衝突時に締付け体にメアンダスプリングによって、締付け体に対する起立モーメントを増大させるてこ腕が作用しており、該てこ腕が、締付け体の基準の接触範囲におけるてこ腕よりも大きく設定されている。
【００１４】
本発明に係るフリーホイールの有利な態様によれば、前記押付け溝が、衝突時の前記てこ腕の増加のために、ばねに対する圧着面を有しており、該圧着面が、空転方向でほぼ凸状に湾曲させられていて、締付け体の減衰範囲でほぼ一直線に延びている。
【００１５】
本発明に係るフリーホイールの有利な態様によれば、前記押付け溝の前記圧着面が、前記空転方向でインナレースに向かって（半径方向内向きに）傾斜している／傾けられている。
【００１６】
特にクランクＣＶＴ伝動装置に用いられるフリーホイールは、インナレースと、このインナレースを半径方向で取り囲んで配置された、このインナレースに対して相対的に少なくとも一方の回動方向に回動可能なアウタレースと、インナレースとアウタレースとの間に配置された、ヘッド範囲およびベース範囲を備えた複数の締付け体とを備えており、これらの締付け体は、互いに接触していて、押付け溝内に係合する全周にわたって延びるばねの半径方向内向きに作用するばね力によってインナレースに向かって押圧可能であり、本発明によれば、締付け体のガイド部が、ヘッド範囲にもベース範囲にも同時に形成されており、締付け体が、ヘッド範囲およびベース範囲においてサイクロイドの形で形成されている。これによって、締付け体が、ほとんど運動自由度を有しておらず、特にメアンダスプリングまたはガータスプリングとして形成されていてよいばねが幾つかの締付け体を締付けギャップ内に適正に押し込まない場合でも、これらの締付け体は別の締付け体によって連行される。
【００１７】
有利な態様では、特にあらゆる運転点において、互いに隣り合った締付け体のヘッド範囲とベース範囲との間に、潤滑膜（油膜）の維持のために、規定されたコンスタントな間隔が存在している。
【００１８】
さらに、ヘッド範囲における締付け体の幅が、ベース範囲における締付け体の幅よりも大きく設定されている。これによって、締付け体溝内でのメアンダスプリングの転動のために、周方向に全体的に多くのスペースが提供される。これにより得られたスペースは、押付け機能の改善のために使用することができる。
【００１９】
より広幅のヘッド範囲によって、互いに隣り合った締付け体の間に、一方のフリーホイール回動方向では２つのガイド点が形成されていて、このフリーホイール回動方向と逆の回動方向では１つの衝突点が形成されている。さらに、有利には、衝突時に締付け体にばねによって、締付け体に対する起立モーメントを増大させるてこ腕が作用しており、このてこ腕が、有利には、締付け体の基準の接触範囲におけるてこ腕よりも大きく設定されている。これによって、締付け体に対する起立モーメントがより大きくなる。さらに、このことは、衝突に基づく締付け体の万が一の挟まりおよび潤滑油による相互固着をより良好に回避するために寄与する。
【００２０】
しかし、基準の接触範囲では、引きずりモーメントを低く保ちかつ効率を高く保つために、てこ腕増加が作用してはならない。
【００２１】
押付け溝は、衝突時のてこ腕の増加のために、ばねに対する圧着面を有しており、この圧着面は、空転方向でほぼ凸状に湾曲させられていて、締付け体の減衰範囲でほぼ一直線に延びている。さらに、押付け溝の圧着面は、空転方向でインナレースに向かって半径方向内向きに斜めに傾けられている。
【００２２】
締付け体の相互のガイドの改善によって、不利な誤差のためにメアンダスプリングによって締付けギャップ内に適時に押し込まれない締付け体も、隣り合った締付け体によってヘッド範囲でもベース範囲でも連行され、これによって、フリーホイールのグリップ機能が改善され、締付け体の回動が阻止される。
【００２３】
また、締付け体の起立を容易にするメアンダスプリングの、衝突時に増加させられるてこ腕による押付けの改善も有利である。
【図面の簡単な説明】
【００２４】
【図１】締付け体の正面図である。
【図２】それぞれ異なる運転位置におけるフリーホイールを示す図である。
【図３】締付け体の溝の範囲におけるフリーホイールの横断面の一部を基準位置で示す図である。
【図４】締付け体の溝の範囲におけるフリーホイールの横断面の一部を衝突位置で示す図である。
【００２５】
本発明を以下に１つの実施の形態および対応する図面につき詳しく説明する。
【００２６】
図１には、ベース範囲３．１とヘッド範囲３．２とを備えた締付け体３の正面図が示してある。ベース範囲３．１は第１の接触面３ａでフリーホイールのインナレース（図示せず）に向けられており、ヘッド範囲３．２は第２の接触面３ｂでフリーホイールのアウタレース（図示せず）に向けられている。
【００２７】
ベース範囲３．１は幅ｂ１を有しており、ヘッド範囲３．２は、幅ｂ１に比べて大きな幅ｂ２を有している。両幅ｂ１，ｂ２の間には、符号を付していないくびれが形成されている。
【００２８】
衝突押圧時の（正の回動方向＋での）締付け体３の、矢印によって示した旋回方向には、第１の当付け面３ｃが形成されており、この旋回方向と逆方向には、隣接した締付け体（図示せず）に向けられた第２の当付け面３ｄが形成されている。
【００２９】
さらに、締付け体３は、アウタレースに向かって開いた押付け溝Ｎ（図３および図４参照）を有している。この押付け溝Ｎは、図１に破線で示した圧着面３ｆを有している。この圧着面３ｆには、たとえばメアンダスプリングもしくは環状の蛇行ばねの形のばね（図示せず）が作用する。圧着面３ｆは、第２の当付け面３ｄの方向に、減衰範囲において色濃く示したほぼ一直線に延びる範囲３ｆ’を有している。
【００３０】
ばねの、半径方向内側に向けられたばね作用によって、締付けエレメント３がインナレースに向かって押圧される。締付けエレメント３は、インナレースの締付けギャップ内に押し込まれる（図示せず）。
【００３１】
図２の個別図ａ）〜ｄ）には、衝突位置から最大のトルクまでのそれぞれ異なる運転位置におけるフリーホイールが示してある。
【００３２】
このフリーホイールは、インナレース１と、アウタレース２と、両レース１，２の間に配置された複数の締付け体３と、１つのメアンダスプリング４とから成っている。このメアンダスプリング４は締付け体３の溝（図示せず）内に係合していて、締付け体３を半径方向内向きにインナレース１に向かって押圧している。
【００３３】
図２ａ）には、衝突位置が示してある。この衝突位置では、締付け体３が正の加速＋によって旋回させられていて、締付け体３のヘッド範囲３．２が正の加速の方向（図２ａ）では右方）に旋回させられている。締付け体３がその接触面３ａでインナレース１から緩められる。これによって、アウタレース２とインナレース１との間にクリアランスが保証され、減衰部が形成される。正の回動方向＋では、互いに隣り合った締付けエレメント３が、ベース範囲３．１において第１のガイド点Ｐ１で互いに接触していて、ヘッド範囲３．２において第２のガイド点Ｐ２で互いに接触している（締付け体３の長さにわたって、線接触が得られる）。反対の側では、締付け体３の持上りを助成する衝突点Ｐ３において接触が生じている。
【００３４】
図２ｂ）には、第１のガイド点Ｐ１と第２のガイド点Ｐ２とを備えた締付け体３の基準の位置が示してある。
【００３５】
図２ｃ）には、アウタレース２とインナレース１との間で平均的なトルクを伝達するための締付け体３の位置が示してある。第１のガイド点Ｐ１は内方に「移動」させられており、第２のガイド点Ｐ２は外方に「移動」させられている。
【００３６】
図２ｄ）には、負の加速−時に最大のトルクを伝達するための位置が示してある。これによって、締付け体３のヘッド範囲３．２が、図２ｄ）では左方に旋回させられていて、締付け体３がその接触面３ａ，３ｂでインナレース１とアウタレース２とに向かって押圧され、ひいては、アウタレース２とインナレース１との間で最大のトルクが伝達可能となる。締付け体３の旋回運動時には、凸状に丸み付けられた第１の接触面３ａがインナレース１で転動し、凸状に湾曲させられた第２の接触面３ｂがアウタレース２で転動する。図２ｄ）に示した位置でも、互いに隣り合った締付け体３において、ベース範囲３．１同士が第１のガイド点Ｐ１で接触しており、ヘッド範囲３．２同士が第２のガイド点Ｐ２で接触している。
【００３７】
さらに、図２ｄ）によれば、締付け体３の転倒防護が実現される。なぜならば、１つの締付け体３のヘッド範囲３．２の当付け面３ｄが、負の回動方向−で見て、この締付け体３の前方に配置された締付け体３のベース範囲３．１の当付け面３ｃに当接していて、これによって、もはや半径方向内向きに運動しないようになっているからである。
【００３８】
したがって、正の回動方向から負の回動方向への、逆に、負の回動方向から正の回動方向への旋回体３の全旋回運動の間、常に２つの接触点Ｐ１，Ｐ２での、互いに隣り合った締付け体３の当付けが保証されている。
【００３９】
図３には、締付け体３の押付け溝Ｎの範囲におけるフリーホイールの横断面の一部が基準位置で示してあり、図４には、衝突位置で示してある。図３および図４から明らかであるように、メアンダスプリング４は押付け溝Ｎ内に係合していて、この押付け溝Ｎの圧着面３ｆに作用している。押付け溝Ｎの圧着面３ｆは、色濃く示したほぼ一直線の範囲３ｆ’を有している。図３に示した基準の位置では、この一直線の範囲３ｆ’がほぼ全体的にメアンダスプリング４の内側輪郭に接触している。そして、メアンダスプリング４の、長さＬ１を備えた第１のてこ腕が得られる。締付け体３が、図４に示した衝突位置に運動させられると、メアンダスプリング４のてこ腕が、図４に示した圧着面３ｆの一直線に延びる断面形状３ｆ’によって長さＬ２に増加させられる。これによって、締付け体３に対する起立モーメントがより大きくなる。このことは、締付け体３が、衝突に基づく万が一の挟まりおよび潤滑油による相互固着をより良好に回避することを助成する。基準の接触範囲では、引きずりモーメントを低く保ち、ひいては、効率を高く保つために、てこ腕増加が作用してはならない。締付け体３の形状をヘッド範囲３．２およびベース範囲３．１においてサイクロイドの形で特殊に形成することによって、あらゆる運転点において、締付け体ヘッドとベースとの間に、規定されたコンスタントな間隔が形成される。これによって、潤滑のための油膜の形成が保証されている。締付け体３は、新規のジオメトリによって、ほとんど運動自由度を有していない。したがって、傾倒が阻止される。さらに、これによって、誤差に基づきメアンダスプリングまたはガータスプリングが幾つかの締付け体をインナレースの締付けギャップ内に適正に押し込まない場合でも、これらの締付け体は別の締付け体によって連行される。これは、常に確実に全ての締付け体３が同時に締付けギャップ内に押し込まれることを意味している。
【符号の説明】
【００４０】
１  インナレース
２  アウタレース
３  締付け体
３．１  ベース範囲
３．２  ヘッド範囲
３ａ  第１の接触面
３ｂ  第２の接触面
３ｃ  第１の当付け面
３ｄ  第２の当付け面
３ｆ  圧着面
３ｆ’  一直線に延びる範囲
４  メアンダスプリング
Ｂ１  ベース範囲の幅
Ｂ２  ヘッド範囲の幅
Ｌ１  基準の位置におけるメアンダスプリングのてこ腕
Ｌ２  衝突位置におけるメアンダスプリングのてこ腕
Ｎ  押付け溝
【図１】
0005656991.tif 000002
【図２】
0005656991.tif 000003
【図３】
0005656991.tif 000004
【図４】
0005656991.tif 000005